(57)【要約】【課題】  ＶＩＣＳセンタからナビゲーション装置に受信される道路交通情報に関するより詳細な情報を容易に取得して提示することが可能な「道路交通情報提供システムおよび道路交通情報提供方法」を提供する。【解決手段】  デジタル放送を受信する地上波デジタル放送受信機１００と、ＶＩＣＳ情報を受信するＶＩＣＳ送受信機２４と、地域を特定するための対象地域情報を抽出し、抽出した対象地域情報に基づいて、その地域に関連するデジタル放送を選択的に抽出して表示させるナビ制御部２６とを備え、ＶＩＣＳ情報の受信があったときに、車両の現在位置に対応する対象地域情報を自動的に抽出し、この対象地域情報に関連するデジタル放送の道路交通詳細情報を選択的に抽出して表示することにより、車両位置近辺の渋滞や事故、規制などに関する詳細な情報をデジタル放送から簡単に取得してユーザに提示できるようにする。【選択図】        図１
2005315714.tif 000002
【特許請求の範囲】
【請求項１】
ＶＩＣＳセンタから送られてくる道路交通情報を受信するＶＩＣＳ受信部と、
配信中のデジタル放送の中から、対象地域が特定された道路交通詳細情報を受信するデジタル放送受信部と、
上記ＶＩＣＳ受信部により上記道路交通情報を受信したときに、地域を特定する対象地域情報を抽出する地域情報抽出部と、
上記デジタル放送受信部により受信された上記道路交通詳細情報の中から、上記地域情報抽出部により抽出される上記対象地域情報に関連する上記道路交通詳細情報を選択的に抽出して出力する受信情報出力部とを備えたことを特徴とする道路交通情報提供システム。
【請求項２】
放送内容のジャンルおよび関連地域を特定するための情報を含んだデジタル放送を受信するデジタル放送受信部と、
ＶＩＣＳセンタから送られてくる道路交通情報を受信するＶＩＣＳ受信部と、
上記ＶＩＣＳ受信部により上記道路交通情報を受信したときに、地域を特定する対象地域情報を抽出する地域情報抽出部と、
上記デジタル放送受信部により受信されるデジタル放送の中から、上記放送内容のジャンルが交通関連で、かつ、上記地域情報抽出部により抽出される上記対象地域情報に関連する道路交通詳細情報を選択的に抽出して出力する受信情報出力部とを備えたことを特徴とする道路交通情報提供システム。
【請求項３】
車両の現在位置を検出する車両位置検出部を更に備え、
上記地域情報抽出部は、上記車両位置検出部によって検出される上記車両の現在位置情報に基づいて、上記対象地域情報を抽出することを特徴とする請求項１または２に記載の道路交通情報提供システム。
【請求項４】
上記地域情報抽出部は、上記ＶＩＣＳ受信部により受信される上記道路交通情報に含まれる位置情報に基づいて、上記対象地域情報を抽出することを特徴とする請求項１または２に記載の道路交通情報提供システム。
【請求項５】
上記デジタル放送受信部によって受信された上記道路交通詳細情報を蓄積する記録媒体を更に備え、
上記受信情報出力部は、上記記録媒体に蓄積された上記道路交通詳細情報の中から、上記対象地域情報に関連する上記道路交通詳細情報を選択的に抽出して出力することを特徴とする請求項１〜４の何れか１項に記載の道路交通情報提供システム。
【請求項６】
ＶＩＣＳセンタから送られてくる道路交通情報をＶＩＣＳ受信部で受信する第１のステップと、
上記第１のステップで上記道路交通情報を受信したときに、車両位置検出部によって検出される車両の現在位置情報に基づいて、地域を特定する対象地域情報を抽出する第２のステップと、
デジタル放送受信部によって受信されるデジタル放送の中から、上記第２のステップで抽出された上記対象地域情報に関連する道路交通詳細情報を選択的に抽出して出力する第３のステップとを有することを特徴とする道路交通情報提供方法。
【請求項７】
上記デジタル放送受信部によって受信された上記道路交通詳細情報を記録媒体に蓄積する第４のステップを更に有し、
上記記録媒体に蓄積された上記道路交通詳細情報の中から、上記第３のステップでは、上記対象地域情報に関連する上記道路交通詳細情報を選択的に抽出して出力することを特徴とする請求項６に記載の道路交通情報提供方法。
【請求項８】
上記第２のステップでは、上記車両位置検出部によって検出される車両の現在位置情報の代わりに、上記第１のステップで受信された上記道路交通情報に含まれる位置情報に基づいて上記対象地域情報を抽出することを特徴とする請求項６または７に記載の道路交通情報提供方法。
【発明の詳細な説明】
【技術分野】
【０００１】
本発明は、道路交通情報提供システムおよび道路交通情報提供方法に関し、特に、ＶＩＣＳセンタからナビゲーション装置に受信される渋滞情報や規制情報などに関するより詳細な情報をデジタル放送から取得して提示するシステムに用いて好適なものである。
【背景技術】
【０００２】
一般に、車載用のナビゲーション装置では、自立航法センサやＧＰＳ（Global Positioning System）受信機などを用いて車両の現在位置を検出し、その近傍の地図データを記録媒体から読み出して画面上に表示する。そして、画面上の所定箇所に自車位置を示す車両位置マークを重ね合わせて表示することにより、車両が現在どこを走行しているのかを一目で分かるようにしている。
【０００３】
最近のナビゲーション装置は、道路交通情報センタ（ＶＩＣＳセンタ）から送られてくるＶＩＣＳ道路交通情報（以下、ＶＩＣＳ情報と略す）を受信して、刻々と変化する道路状況をナビゲーション画面上に表示できるようになっているものが多い。ＶＩＣＳ情報は、主に主要幹線道路に設置された光ビーコン、主に高速道路に設置された電波ビーコン、ＦＭ放送電波を利用したＦＭ多重放送から取得することが可能である。このＶＩＣＳ情報には、レベル１（文字表示型）、レベル２（簡易図形表示型）、レベル３（地図表示型）の３種類の情報がある。
【０００４】
図８は、３種類のＶＩＣＳ情報を説明するための図である。レベル１のＶＩＣＳ情報は、図８（ａ）のように、渋滞情報や所定地点までの所要時間などを文字によって知らせる文字情報である。レベル２のＶＩＣＳ情報は、図８（ｂ）のように、渋滞情報や所定地点までの所要時間などを簡易図形によって知らせる簡易図形情報（ビットマップ等による画像データ）である。この簡易図形情報では、ＶＩＣＳセンタであらかじめ用意されたデフォルトの道路画像上に、渋滞箇所（赤）や混雑箇所（オレンジ）が表示される。
【０００５】
レベル３のＶＩＣＳ情報は、図８（ｃ）のように、渋滞情報を地図上の色付き矢印によって知らせる地図情報である。この地図情報では、ＶＩＣＳセンタから送られてくる各リンク（交差点や分岐など複数の道路が交わる点をノード、隣接するノード間を結ぶベクトルをリンクと呼ぶ）の渋滞情報（渋滞／混雑／順調の何れか）に基づいて、各リンクに対応する道路の脇に渋滞箇所（赤の矢印）や混雑箇所（オレンジの矢印）が明滅表示される。また、順調に車が流れている道路の脇には青の矢印が表示される。
【０００６】
レベル３の地図情報（色付き矢印）は地図画面上に常に表示されているのに対し、レベル１の文字情報およびレベル２の簡易図形情報は、これらの情報をナビゲーション装置がＶＩＣＳセンタから受信したときに割り込み表示される。これにより、ＶＩＣＳ機能を搭載したナビゲーション装置では、渋滞情報や規制情報といった道路交通情報をリアルタイムにユーザに提供することが可能である（例えば、特許文献１参照）。
【特許文献１】特開２００２−１４８０５７号公報
【０００７】
また、最近のナビゲーション装置の殆どには経路誘導機能が搭載されている。この経路誘導機能では、地図データを用いて現在地から目的地までを結ぶ最もコストが小さな経路を自動探索し、その探索した経路を誘導経路として地図画面上で他の道路とは色を変えて太く描画することにより、運転者を目的地まで案内するようになっている。このような経路誘導機能を搭載したナビゲーション装置の中には、受信したＶＩＣＳ情報に応じて、渋滞を考慮した目的地到着時刻を再計算したり、渋滞を避ける迂回経路を再探索したりする機能を備えたものもある。
【０００８】
一方、最近では、各種放送のアナログ方式からデジタル方式への移行が進んでいる。地上波テレビ放送に関しては、既に２００３年１２月より東京・名古屋・大阪エリアにて放送が開始され、２０１１年には全国でデジタル放送を実施してアナログ放送を停波する予定となっている。地上波デジタル放送には、今までのアナログ放送にはなかったサービスが幾つか存在する。代表的なものとして、データ放送の提供がある。
【０００９】
一般に、デジタル方式の放送形態は、従来のアナログ方式の放送形態よりも電波の有効利用が可能であるため、映像および音声の放送に加えてデータ放送の実施が可能である。このデータ放送では、各チャンネルの番組案内や、ニュース、天気予報、生活情報など様々な情報が放送される。また、地上波デジタル放送では、一般家庭に向けたデータ放送の他に、車両等の移動体向けのデータ放送を実施することも予定されており、交通情報やイベント情報など、移動体に対して特に有効な情報を含んだデータ放送が行われると予想される。
【００１０】
また、データ放送により送信される各種情報のうちで、天気予報や交通情報など、その情報に対応する地域が重要となるものについては、各種情報に対して対象地域を指定する対象地域情報が付加される場合もある。この対象地域情報としては、例えば、郵便番号や地域名称（地方名、都道府県名、市町村名など）、県域コードが考えられている。車両の現在位置に対応する対象地域情報を抽出することにより、車両の現在位置に関連する交通情報などを取得することが可能である（例えば、特許文献２参照）。また、上述の特許文献１では、目的地や経由地の地名を抽出することにより、目的地や経由地に関連するデジタル放送を取得することが可能である。
【特許文献２】特開２００２−１６８６３２号公報
【００１１】
ところで、人間の心理として、自分の身の回りに起こった事象に対しては大きな興味を持つことが多い。例えば、目的地へ向かっているときに渋滞に巻き込まれた際に、渋滞の先頭の状況が気になることはよくあることである。また、事故があった場合には、事故現場の様子や安否が大変気になるものである。ところが、ＶＩＣＳセンタから受信するＶＩＣＳ情報では、渋滞や事故の存在は知ることができるが、その渋滞や事故に関する詳細な情報は知ることができない。詳細が知りたい場合は、ＶＩＣＳ情報とは別に、テレビ放送やインターネットを利用して情報を取得する必要があった。
【００１２】
つまり、従来は、ＶＩＣＳ情報を受信して渋滞や事故、規制などの存在を知ったときに、その詳細情報を調べるためには、例えば地上波デジタル放送にソースを切り替える必要があった。このとき、地上波デジタル放送を表示するために専用のブラウザが起動されるが、ブラウザはすぐに起動せず、その待ち時間はユーザにとってストレスとなる。ブラウザが起動したら、利用者は、渋滞などの情報を放送しているニュースを検索して表示する。ニュースが放送されていない場合は、データ放送を利用して現在地周辺の交通情報を検索して表示する。このように、従来は、渋滞や事故などの詳細情報を調べるための操作が煩雑であり、多くの手間を要するという問題があった。
【発明の開示】
【発明が解決しようとする課題】
【００１３】
本発明は、このような問題を解決するために成されたものであり、ＶＩＣＳセンタからナビゲーション装置に受信される道路交通情報に関するより詳細な情報を容易に取得して提示することができるようにすることを目的とする。
【課題を解決するための手段】
【００１４】
上記した課題を解決するために、本発明では、ＶＩＣＳセンタから送られてくる道路交通情報をＶＩＣＳ受信部で受信したときに、その道路交通情報に含まれる位置情報、または、車両位置検出部によって検出される車両の現在位置情報に基づいて、地域を特定する対象地域情報を抽出し、抽出した対象地域情報に基づいて、デジタル放送受信部によって受信される道路交通詳細情報の中から、対象地域に関連する道路交通詳細情報を選択的に抽出して出力する。
【発明の効果】
【００１５】
上記のように構成した本発明によれば、ＶＩＣＳ情報の割り込み受信があったときに、対象地域情報が自動的に抽出され、この対象地域情報に関連する道路交通詳細情報がデジタル放送から選択的に抽出して提示されるので、ユーザは、デジタル放送やインターネットにわざわざ切り替えて調べるといった操作を行う必要がなく、渋滞や事故、規制などに関する詳細な情報を取得する際の操作の煩雑さを軽減することができる。
【発明を実施するための最良の形態】
【００１６】
以下、本発明の一実施形態を図面に基づいて説明する。図１は、本実施形態による道路交通情報提供システムの一構成例を示すブロック図である。図１に示すように、本実施形態の道路交通情報提供システムは、地上波デジタル放送受信機１００（本発明のデジタル放送受信部に相当）とナビゲーション装置２００とを備えて構成されている。
【００１７】
地上波デジタル放送受信機１００の構成において、１は第１のアンテナ、２は第２のアンテナであり、地上波デジタル放送の電波を受信する。３は第１のチューナであり、第１のアンテナ１により受信した地上波デジタル放送の電波から、所望のチャンネルに合致した受信周波数のＩＦ信号（中間周波数信号）を生成して出力する。４は第２のチューナであり、第２のアンテナ２により受信した地上波デジタル放送の電波から、所望のチャンネルに合致した受信周波数のＩＦ信号を生成して出力する。
【００１８】
５は第１のＯＦＤＭ復調部であり、第１のチューナ５で生成したＩＦ信号をＯＦＤＭ復調してトランスポートストリーム（Transport Stream：以下ＴＳと記述する）を得る。６は第２のＯＦＤＭ復調部であり、第２のチューナ４で生成したＩＦ信号をＯＦＤＭ復調してＴＳを得る。７はダイバーシティ合成部であり、第１のＯＦＤＭ復調部５から入力するＴＳの位相を制御する位相器７ａと、位相を制御されたＴＳと第２のＯＦＤＭ復調部６から入力するＴＳとを合成する合成器７ｂとを備えて構成されている。
【００１９】
８は誤り訂正部であり、データの伝送中に生じる誤りを訂正するためのものである。９はデマルチプレクサ部であり、多重化されているＴＳを分離して映像ストリーム、音声ストリーム、データストリームを出力する。１０はオーディオデコーダ部であり、入力した音声ストリームをデコードして音声データとして出力する。１１はビデオデコーダ部であり、入力した映像ストリームをデコードして映像データとして出力する。
【００２０】
１２は受信機制御部であり、外部に設けたリモートコントローラ等（図示せず）の操作によって入力される制御信号により、第１のチューナ３および第２のチューナ４が受信するチャンネルを決定し、このチャンネルに合致する受信周波数を設定する。また、受信機制御部１２は、ナビゲーション装置２００からチャンネルのリクエスト情報を入力し、リクエストされたチャンネルに合致する受信周波数を設定する。さらに、受信機制御部１２は、第１のＯＦＤＭ復調部５および第２のＯＦＤＭ復調部６、デマルチプレクサ部９の動作も制御する。
【００２１】
このように、地上波デジタル放送受信機１００が第１のアンテナ１、第２のアンテナ２、第１のチューナ３、第２のチューナ４、第１のＯＦＤＭ復調部５、第２のＯＦＤＭ復調部６、ダイバーシティ合成部７を備え、第１のＯＦＤＭ復調部５および第２のＯＦＤＭ復調部６から出力されたＴＳをダイバーシティ合成部７によりダイバーシティ合成することで、受信性能を向上させて、高精細画質の地上波デジタル放送のコンテンツを受信することが可能となる。
【００２２】
ここで、ＴＳのパケット構造について説明する。図２は、ＴＳのパケット構造を示す図である。また、図３は、パケット内に含まれる各情報間の関係を示す図である。ＴＳは、図２に示すようなトランスポートパケット（ＴＳパケット）が複数個集まって構成されている。ＴＳパケットは、固定長のパケットヘッダと可変長のペイロードとで構成される。
【００２３】
パケットヘッダには、パケットの種類を表すＰＩＤ（Packet Identifier：パケット識別子）や各種のフラグが定義されている。映像や音声などの各ストリームは、それぞれ固有のＰＩＤを持ったＴＳパケットで伝送されるため、１つのＴＳの中に混在していても、そのＴＳパケットが映像か音声かなどの種類を識別することが可能である。
【００２４】
ペイロードには、ＰＳＩ（Program Specific Information）と、デジタル放送の番組内容である映像データや音声データ、情報データを含むボディ部とが含まれている。ＴＳは複数の番組を伝送することができるため、ストリームに含まれている番組とその番組を構成している映像データや音声データ、情報データなどの要素との関係を表すテーブル情報が、ＰＳＩとして規定されている。
【００２５】
ＰＳＩは番組特定情報であり、図３に示すような４種類のテーブル、すなわちＰＡＴ（Program Association Table）、ＰＭＴ（Program Map Table）、ＥＳ（Elementary Stream）、ＥＩＴ（Event Information Table）が規定されている。ＰＡＴには番組番号に対応したＰＭＴのＰＩＤなどが記述されており、ＰＭＴには対応する番組に含まれるＥＳの種類（映像、音声、情報データ）や状態が記述されている。また、ＥＩＴには、番組のジャンル、番組名、放送日時、放送内容など番組に関する特定情報が記述されている。例えば、ＥＩＴのジャンルコードを参照することにより、道路交通詳細情報を放送している番組に関するＴＳパケットだけを取り出すことが可能である。
【００２６】
また、ボディ部には、例えばリソースリスト、ＢＭＬ（Broadcast Multimedia Language）文書、ＪＰＥＧデータ、テキストデータ、ＰＮＧデータが含まれている。リソースリストは、ボディ部の内容を表すヒント情報である。ＢＭＬ文書は、放送用マークアップ言語で書かれた文書であり、地域識別コード、県域コード、郵便番号などの対象地域情報が記述されている。ＪＰＥＧデータは、ＪＰＥＧフォーマットで圧縮された静止画データである。テキストデータは、番組内容に関するテキストフォーマットの付加データである。ＰＮＧデータは、インターネット標準フォーマットの静止画データである。ここに示したボディ部は単なる例示であり、静止画データの代わりに音声データ、映像データ、情報データが含まれる場合もある。
【００２７】
図４は、ＢＭＬ文書の記述例を示す図である。図４において、<zipcode></zipcode>のタグで挟まれた“1418501”という情報が、対象地域情報の郵便番号である。
【００２８】
次いで、図１に示すナビゲーション装置２００の構成において、２１はナビゲーション／オーディオ処理部であり、車両の走行案内を行うことによって運転者が所望の目的地に容易に到達できるようにするナビゲーション処理機能と、地上波デジタル放送受信機１００によって受信されたデジタル放送のコンテンツをモニタ２７およびスピーカ２８に出力するオーディオ処理機能とを備えている。このナビゲーション／オーディオ処理部２１は、ナビゲーション処理機能によって生成される地図画像をモニタ２７に出力するとともに、案内音声をスピーカ２８に出力する。また、デジタル放送の映像やデータをモニタ２７に出力するとともに、デジタル放送の音声をスピーカ２８に出力する。
【００２９】
上述のナビゲーション処理機能を実現するために、ナビゲーション／オーディオ処理部２１は、車両の現在位置を測定する位置測定装置（本発明の車両位置検出部に相当）を備えている。位置測定装置は、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含む。自立航法センサは、これらの車速センサおよび角速度センサによって車両の相対位置および方位を検出する。
【００３０】
位置計算用ＣＰＵは、自立航法センサから出力される自車の相対的な位置および方位のデータに基づいて、絶対的な自車位置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００３１】
２２はハードディスク（本発明の記録媒体に相当）であり、地上波デジタル放送受信機１００で受信したデジタル放送のコンテンツを蓄積する。すなわち、ハードディスク２２は、オーディオデコーダ部１０より出力された音声データ、ビデオデコーダ部１１より出力された映像データ、デマルチプレクサ部９より出力された情報データを記録する。デマルチプレクサ部９より出力される情報データの中には、デジタル放送の番組に対して関連する地域を指定するための対象地域情報（例えば、郵便番号や地域識別コード、県域コード）が含まれている。
【００３２】
２３は第３のアンテナであり、ＶＩＣＳセンタから送られてくる道路交通情報（ＶＩＣＳ情報）を受信する。２４はＶＩＣＳ送受信機（本発明のＶＩＣＳ受信部に相当）であり、主に主要幹線道路に設置された光ビーコンとの間で光を介して双方向通信を行うとともに、主に高速道路に設置された電波ビーコンとの間で電波を介して双方向通信を行うことにより、ＶＩＣＳセンタから送られてくるＶＩＣＳ情報を受信する。また、ＶＩＣＳ送受信機２４は、ＦＭ放送電波を介してＶＩＣＳセンタから送られてくるＶＩＣＳ情報を受信する。
【００３３】
ＶＩＣＳ送受信機２４において受信するＶＩＣＳ情報には、レベル１の文字情報、レベル２の簡易図形情報、レベル３の地図情報が含まれる。何れのレベルのＶＩＣＳ情報にも、どの区間で渋滞や混雑が生じているか、どこで事故が発生しているか、速度規制・車線規制・チェーン規制・工事規制などがどこで発生しているかといった位置情報（緯度・経度など）が含まれている。
【００３４】
２５はテーブル記憶部であり、緯度・経度などで表される位置情報と、その位置に対応した対象地域情報とを関連付けて記憶している。２６はナビ制御部であり、外部に設けたリモートコントローラ等（図示せず）の操作によって入力される制御信号により、ナビゲーション／オーディオ処理部２１やハードディスク２２の動作を制御する。
【００３５】
例えば、ナビ制御部２６は、地上波デジタル放送で利用されるＰＳＩのジャンルコード（交通）を指定して、道路交通詳細情報に関する番組のチャンネルを地上波デジタル放送受信機１００の受信機制御部１２にリクエストする。そして、このリクエストに応じて地上波デジタル放送受信機１００から提供されるデジタル放送の音声データ、映像データ、情報データ（対象地域情報を含む）のハードディスク２２への記録を制御する。
【００３６】
また、ナビ制御部２６は、ＶＩＣＳ送受信機２４においてＶＩＣＳ情報の割り込み受信があったときに、ナビゲーション／オーディオ処理部２１で検出されている車両の現在位置情報を基にテーブル記憶部２５を参照し、その現在位置に対応する対象地域情報を取得する。そして、その対象地域情報をキーとしてハードディスク２２を検索し、関連するデジタル放送の番組が記録されているかどうかを調べる。関連する番組が記録されているときには、その音声データや映像データ、情報データをナビゲーション／オーディオ処理部２１により再生し、モニタ２７およびスピーカ２８から道路交通詳細情報として出力するように制御する。
【００３７】
このように、テーブル記憶部２５およびナビ制御部２６は、本発明の地域情報抽出部に相当する。また、ナビ制御部２６、ナビゲーション／オーディオ処理部２１、モニタ２７およびスピーカ２８は、本発明の受信情報出力部に相当する。
【００３８】
次に、上記のように構成した道路交通情報提供システムの動作を説明する。図５は、本実施形態による道路交通情報提供システムの動作例を示すフローチャートである。道路交通情報提供システムの動作は、地上波デジタル放送受信機１００およびナビゲーション装置２００の電源をＯＮとすることによってスタートする。
【００３９】
地上波デジタル放送受信機１００およびナビゲーション装置２００の電源が投入されると（ステップＳ０）、ナビゲーション装置２００のナビ制御部２６は、地上波デジタル放送で利用されるＰＳＩのジャンルコード（交通）を指定して、道路交通詳細情報を放送している番組のチャンネルを地上波デジタル放送受信機１００の受信機制御部１２にリクエストする（ステップＳ１）。
【００４０】
このリクエストを受けて受信機制御部１２は、第１のチューナ３および第２のチューナ４が受信するチャンネルを決定し、そのチャンネルに合致する受信周波数を設定する。すなわち、複数のチャンネルの中から、ＰＳＩのジャンルコードとして「交通」のジャンルが記述されている番組を放送しているチャンネルを探し出し、そのチャンネルの受信周波数を設定する。これにより、道路交通詳細情報が放送番組のコンテンツとして含まれているデジタル放送を受信する（ステップＳ２）。
【００４１】
ナビゲーション装置２００では、このリクエストに応じて受信されたデジタル放送の音声データ、映像データ、情報データ（対象地域情報を含む）を地上波デジタル放送受信機１００から取得し、ハードディスク２２に保存する（ステップＳ３）。
【００４２】
次に、ナビ制御部２６は、ＶＩＣＳ送受信機２４においてＶＩＣＳ情報の割り込み受信があったかどうかを判定する（ステップＳ４）。ＶＩＣＳ情報の割り込み受信がない場合は、ステップＳ２に戻ってデジタル放送の受信を継続する。ここで、１つの番組が終了したときには、受信機制御部１２は、ＰＳＩのジャンルコードとして「交通」のジャンルが記述されている番組を放送しているチャンネルを再度探し出し、そのデジタル放送を受信する。そのデジタル放送の音声データ、映像データ、情報データもハードディスク２２に保存される。このような動作を繰り返すことにより、道路交通詳細情報を含んだ番組のコンテンツがハードディスク２２に逐次蓄積されていく。
【００４３】
一方、ステップＳ４でＶＩＣＳ情報の割り込み受信があったと判断した場合は、ナビ制御部２６は、ナビゲーション／オーディオ処理部２１で検出されている車両の現在位置情報を基にテーブル記憶部２５を参照し、その現在位置に対応する対象地域情報を取得する。そして、その対象地域情報をキーとしてハードディスク２２を検索する（ステップＳ５）。
【００４４】
ナビ制御部２６は、その検索結果として、関連するデジタル放送の番組がハードディスク２２に記録されているかどうかを判定する（ステップＳ６）。そして、関連する番組が記録されているときには、ナビゲーション／オーディオ処理部２１を制御してその番組の音声データや映像データ、情報データを再生し、モニタ２７およびスピーカ２８から出力することによって道路交通詳細情報をユーザに提示する（ステップＳ７）。一方、関連する番組が記録されていないときは、ステップＳ２に戻ってデジタル放送の受信を継続する。
【００４５】
図６は、本実施形態による道路交通情報提供システムの別の動作例を示すフローチャートである。なお、この図６において、図５に示したステップ番号と同一の番号を付した手順は同一の処理内容を表すものであるので、ここでは重複する説明を省略する。図６に示すフローチャートでは、ステップＳ４とステップＳ５との間に、ステップＳ１１およびステップＳ１２の処理が挿入されている。
【００４６】
ナビ制御部２６は、ステップＳ４でＶＩＣＳ情報の割り込み受信があったと判断した場合、ナビゲーション／オーディオ処理部２１を制御して、図７（ａ）に示すようなアイコン３１をモニタ２７に表示する（ステップＳ１１）。このアイコン３１は、ＶＩＣＳ情報の受信をユーザに知らせると同時に、道路交通詳細情報を取得するかどうかをユーザに選択させるためのものである。このアイコン３１は、道路交通詳細情報の取得をユーザに選択させるためのボタンとして、データ放送による道路交通詳細情報を見るための操作ボタン３１ａ、映像や音声として放送されている関連ニュースを見るための操作ボタン３１ｂを備えている。
【００４７】
ナビ制御部２６は、アイコン３１を表示してから一定時間内に操作ボタン３１ａ，３１ｂの何れかが操作されたかどうかを判定する（ステップＳ１２）。何れの操作ボタン３１ａ，３１ｂも一定時間内に操作されなかった場合は、ユーザが道路交通詳細情報の取得を希望していないと判断して、ステップＳ２に戻ってデジタル放送の受信を継続する。
【００４８】
一方、操作ボタン３１ａ，３１ｂの何れかが操作された場合、ナビ制御部２６は、ナビゲーション／オーディオ処理部２１で検出されている車両の現在位置情報を基にテーブル記憶部２５を参照し、その現在位置に対応する対象地域情報を取得する。そして、その取得した対象地域情報と、操作された操作ボタン３１ａ，３１ｂに対応するＰＭＴとをキーとしてハードディスク２２を検索する（ステップＳ５）。
【００４９】
例えば、データ放送による道路交通詳細情報を見るための操作ボタン３１ａが操作された場合には、ＰＭＴによって情報データが指定されていて、かつ、車両の現在位置に対応する対象地域情報が指定されているデータ放送のコンテンツをハードディスク２２の中から検索する。また、映像や音声として放送されている関連ニュースを見るための操作ボタン３１ｂが操作された場合には、ＰＭＴによって映像データや音声データが指定されていて、かつ、車両の現在位置に対応する対象地域情報が指定されているニュース放送のコンテンツをハードディスク２２の中から検索する。
【００５０】
ナビ制御部２６は、関連するデジタル放送の番組がハードディスク２２に記録されているかどうかを判定し（ステップＳ６）。その結果に応じて図７（ｂ）または図７（ｃ）に示すような道路交通詳細情報をユーザに提示する（ステップＳ７）。すなわち、データ放送による道路交通詳細情報を見るための操作ボタン３１ａが操作された場合には、図７（ｂ）に示すように、文字情報の表示枠３２をモニタ２７に表示し、データ放送の内容を表示する。文字情報に加え、動画や静止画のデータもあれば、それを表示する。また、関連ニュースを見るための操作ボタン３１ｂが操作された場合には、図７（ｃ）に示すように、ブラウザ３３を起動し、ニュースの映像をモニタ２７に表示するとともに、ニュースの音声をスピーカ２８から出力する。
【００５１】
以上のように、本実施形態によれば、ＶＩＣＳ情報の割り込み受信があったときに、車両の現在位置に対応する対象地域情報が自動的に抽出され、この対象地域情報に関連するデジタル放送の道路交通詳細情報が選択的に抽出して表示されることとなる。これにより、ＶＩＣＳ情報の受信をトリガとして、車両位置近辺の渋滞や事故、規制などに関する詳細な情報をデジタル放送から簡単に取得してリアルタイムにユーザに提示することができる。したがって、ユーザは、デジタル放送やインターネットにわざわざ切り替えて詳細な情報を調べるといった操作を行う必要がなく、操作の煩雑さを軽減することができる。
【００５２】
なお、上記実施形態では、デジタル放送のコンテンツをハードディスク２２に蓄積しておき、ＶＩＣＳ情報の割り込み受信があったときには、このハードディスク２２から対象地域情報に関連するデジタル放送の道路交通詳細情報を検索して再生するようにしているが、本発明はこれに限定されない。ＶＩＣＳ情報の割り込み受信があったときに、そのときＰＳＩのジャンルコードとして「交通」のジャンルを指定して受信中のデジタル放送の中から、車両の現在位置に対応する対象地域情報がＢＭＬ文書中に記述されている番組をリアルタイムに検索して再生するようにしても良い。
【００５３】
また、上記実施形態では、ＰＳＩのジャンルコードとして「交通」のジャンルをあらかじめ指定することにより、道路交通詳細情報を内容とするデジタル放送のみを地上波デジタル放送受信機１００で受信する例について説明しているが、これに限定されない。例えば、ジャンルコードの指定なしにデジタル放送を受信し、ＶＩＣＳ情報の割り込み受信があったときに、そのとき放送中のデジタル放送の中から、ＰＳＩのジャンルコードとして「交通」のジャンルが指定されていて、かつ、車両の現在位置に対応する対象地域情報がＢＭＬ文書中に記述されている番組をリアルタイムに検索して再生するようにしても良い。
【００５４】
また、ＶＩＣＳ情報の受信時に放送中のデジタル放送に加え、ハードディスク２２に蓄積済みのデジタル放送から、対象地域情報に関連するデジタル放送を検索して再生するようにしても良い。受信内容をハードディスク２２に保存しておくことにより、地上波デジタル放送受信機１００によってリアルタイムに受信される受信内容に加えて、ハードディスク２２に保存されている過去の受信内容の中からも対象地域情報に関連する道路交通詳細情報を抽出して提供することができる。これにより、ＶＩＣＳ情報の受信時には既に対象地域情報に関連するデジタル放送が終了している場合にも、ハードディスク２２に保存されている受信内容を用いて、対象地域情報に関連する道路交通詳細情報を抽出してユーザに提供することができる。
【００５５】
また、上記実施形態では、ナビゲーション／オーディオ処理部２１で検出されている車両の現在位置情報を基にテーブル記憶部２５を参照し、その現在位置に対応する対象地域情報を抽出する例について説明したが、本発明はこれに限定されない。例えば、ＶＩＣＳ送受信機２４により受信されるＶＩＣＳ情報に含まれている位置情報に基づいてテーブル記憶部２５を参照し、渋滞や事故、規制が生じている位置に対応する対象地域情報を抽出するようにしても良い。
【００５６】
光ビーコンにより受信するＶＩＣＳ情報は、光ビーコンの設置位置から前方に半径約３０ｋｍ、後方に約１０ｋｍの範囲内の道路交通情報を含んでいる。電波ビーコンにより受信するＶＩＣＳ情報は、電波ビーコンの設置位置から車両の進行方向に約２００ｋｍの範囲内の道路交通情報を含んでいる。また、ＦＭ多重放送により受信するＶＩＣＳ情報は、約県単位（ただし、都心と郊外ではサポート範囲が異なる）の範囲内の道路交通情報を含んでいる。
【００５７】
したがって、車両の現在位置と、ＶＩＣＳ情報により提示される渋滞や事故、規制の発生位置とがかなり離れている場合も存在する。このような場合に、車両の現在位置をもとに対象地域情報を抽出すると、実際に渋滞などが発生している地点の対象地域情報と異なるものが抽出され、ＶＩＣＳ情報によって知らされた渋滞などに関する詳細な情報を提示できない場合も生じる。これに対して、ＶＩＣＳ情報に含まれている位置情報に基づいて対象地域情報を抽出すれば、ＶＩＣＳ情報によって知らされた渋滞などに関する詳細な情報を確実に提示することが可能となる。
【００５８】
また、ＶＩＣＳ情報に含まれている渋滞等の位置情報に基づいて対象地域情報を抽出する例において、渋滞等の発生位置が自車位置から所定の距離以内のときにのみ、渋滞等の発生位置をもとに対象地域情報を抽出してデジタル放送の道路交通詳細情報を提供するようにしても良い。この場合においても、誘導経路上で発生している渋滞等に関しては、自車位置からの距離に関係なくデジタル放送の道路交通詳細情報を提供するようにしても良い。
【００５９】
また、上記実施形態では、地上波デジタル放送受信機１００を例に挙げて説明したが、上述したＥＩＴのジャンルコードおよびＢＭＬ文書中の対象地域情報、あるいはこれらと同等の情報を含んだデジタル放送を受信するものであれば、地上波デジタル放送受信機１００の代わりに適用することが可能である。例えば、ＢＳデジタル放送受信機、ＣＳデジタル放送受信機などを適用することが可能である。
【００６０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００６１】
本発明は、ＶＩＣＳセンタからＶＩＣＳ情報を受信して渋滞や事故、規制などに関する情報を提供する機能を備えたナビゲーション装置と、放送内容のジャンルや放送内容に関連する地域を特定するための対象地域情報などを含んだデジタル放送を受信するデジタル放送受信機とを備えたシステムに有用である。
【図面の簡単な説明】
【００６２】
【図１】本実施形態による道路交通情報提供システムの構成例を示す図である。
【図２】トランスポートストリームのパケット構造を示す図である。
【図３】ＴＳパケット内に含まれる各情報間の関係を示す図である。
【図４】ＴＳパケット内に含まれるＢＭＬ文書の記述例を示す図である。
【図５】本実施形態による道路交通情報提供システムの動作例を示すフローチャートである。
【図６】本実施形態による道路交通情報提供システムの他の動作例を示すフローチャートである。
【図７】本実施形態の道路交通情報提供システムにより提供される画面の例を示す図である。
【図８】３種類のＶＩＣＳ情報を説明するための図である。
【符号の説明】
【００６３】
１２  受信機制御部
２１  ナビゲーション／オーディオ処理部
２２  ハードディスク
２４  ＶＩＣＳ送受信機
２５  テーブル記憶部
２６  ナビ制御部
２７  モニタ
２８  スピーカ
１００  地上波デジタル放送受信機
２００  ナビゲーション装置
【図１】
2005315714.tif 000003
【図２】
2005315714.tif 000004
【図３】
2005315714.tif 000005
【図４】
2005315714.tif 000006
【図５】
2005315714.tif 000007
【図６】
2005315714.tif 000008
【図７】
2005315714.tif 000009
【図８】
2005315714.tif 000010